(57)【要約】【課題】薬剤供給部の薬剤の効用を利用して濾過部を洗浄することができる水処理装置を提供する。【解決手段】水処理装置１０００は、原水流路１０、濾過部２００、濾過済水流路４０、薬剤供給部１００、薬剤処理済水流路２０、第１の逆流洗浄水流路３１、第１の切替弁Ｖ１、第２の逆流洗浄水流路３２、第２の切替弁Ｖ２、切替用開閉弁Ｖ４、排出用流路４５、および排水用開閉弁Ｖ３を備えている。逆流洗浄用の水は、原水流路１０、第１の切替弁Ｖ１、第１の逆流洗浄水流路３１、濾過済水流路４０、薬剤供給部１００、薬剤処理済水流路２０、第２の切替弁Ｖ２、第２の逆流洗浄水流路３２、濾過済水流路４０、濾過部２００、排出用流路４５、排水用開閉弁Ｖ３、および排出口５０をこの順番で流れる。それにより、薬剤供給部１００内の薬剤ＣＡを含んだ逆流洗浄水が濾過部２００を洗浄する。【選択図】図２
2019141766.tif 000002
【特許請求の範囲】
【請求項１】
原水を導く原水流路と、
前記原水流路を流れる前記原水を受け入れるように設けられ、前記原水に濾過処理を施す濾材を有する濾過部と、
前記濾過部から流れ出た前記濾過処理が施された濾過済みの水を導く濾過済水流路と、
前記濾過済水流路から流れ出た前記濾過済みの水に薬剤を供給する薬剤供給部と、
前記薬剤による処理が施された薬剤処理済みの水を導く薬剤処理済水流路と、
前記原水流路と前記濾過済水流路とに接続され、前記原水流路から前記濾過済水流路へ逆流洗浄用の水を導く第１の逆流洗浄水流路と、
前記原水流路と前記第１の逆流洗浄水流路との接続部に設けられ、前記原水流路から前記濾過部へ前記原水を導く第１の通常状態、および、前記原水流路から前記第１の逆流洗浄水流路へ前記逆流洗浄用の水を導く第１の逆流洗浄状態のいずれかに切り替えられる第１の切替弁と、
前記濾過済水流路と前記第１の逆流洗浄水流路との接続部よりも前記濾過済みの水にとって上流側の前記濾過済水流路と前記薬剤処理済水流路とに接続され、前記薬剤処理済水流路から前記濾過済水流路へ前記薬剤を含む前記逆流洗浄用の水を導く第２の逆流洗浄水流路と、
前記第２の逆流洗浄水流路と前記薬剤処理済水流路との接続部に設けられ、前記薬剤処理済みの水を流出口へ導く第２の通常状態、および、前記薬剤処理済水流路を流れる前記薬剤を含む前記逆流洗浄用の水を前記第２の逆流洗浄水流路へ導く第２の逆流洗浄状態のいずれかに切り替えられる第２の切替弁と、
前記第１の逆流洗浄水流路と前記濾過済水流路との接続部と前記第２の逆流洗浄水流路と前記濾過済水流路との接続部との間の前記濾過済水流路に設けられ、前記濾過済みの水を通過させる開状態、および、前記逆流洗浄用の水を通過させない閉状態のいずれかに切り替えられる切替用開閉弁と、
前記第１の切替弁と前記濾過部との間の前記原水流路に接続された排出用流路に設けられ、前記原水流路を流れる前記原水を前記濾過部へ導く閉状態、および、前記原水流路を流れる前記逆流洗浄用の水を前記排出用流路の排出口へ導く開状態のいずれかに切り替えられる排水用開閉弁と、を備えた、水処理装置。
【請求項２】
原水を導く原水流路と、
前記原水流路を流れる前記原水を受け入れるように設けられ、前記原水に濾過処理を施す濾材を有する濾過部と、
前記濾過部から流れ出た前記濾過処理が施された濾過済みの水を導く濾過済水流路と、
前記濾過済水流路から流れ出た前記濾過済みの水に薬剤を供給する薬剤供給部と、
前記薬剤による処理が施された薬剤処理済みの水を導く薬剤処理済水流路と、
前記原水流路と前記濾過済水流路とに接続され、前記原水流路から前記濾過済水流路へ逆流洗浄用の水を導く第１の逆流洗浄水流路と、
前記原水流路と前記第１の逆流洗浄水流路との接続部に設けられ、前記原水流路から前記濾過部へ前記原水を導く第１の通常状態、および、前記原水流路から前記第１の逆流洗浄水流路へ前記逆流洗浄用の水を導く第１の逆流洗浄状態のいずれかに切り替えられる第１の切替弁と、
前記濾過済水流路と前記第１の逆流洗浄水流路との接続部よりも前記濾過済みの水にとって上流側の前記濾過済水流路と前記薬剤処理済水流路とに接続され、前記薬剤処理済水流路から前記濾過済水流路へ前記薬剤を含む前記逆流洗浄用の水を導く第２の逆流洗浄水流路と、
前記第２の逆流洗浄水流路と前記薬剤処理済水流路との接続部に設けられ、前記薬剤処理済みの水を流出口へ導く第２の通常状態、および、前記薬剤処理済水流路を流れる前記薬剤を含む前記逆流洗浄用の水を前記第２の逆流洗浄水流路へ導く第２の逆流洗浄状態のいずれかに切り替えられる第２の切替弁と、
前記第１の逆流洗浄水流路と前記濾過済水流路との接続部と前記第２の逆流洗浄水流路と前記濾過済水流路との接続部との間の前記濾過済水流路に設けられ、前記濾過済みの水が前記濾過部から前記薬剤処理済水流路に向かって流れることを許容するが、前記逆流洗浄用の水が前記第１の逆流洗浄水流路から前記濾過部に向かって流れることを許容しない一方向弁と、
前記第１の切替弁と前記濾過部との間の前記原水流路に接続された排出用流路に設けられ、前記原水流路を流れる前記原水を前記濾過部へ導く閉状態、および、前記原水流路を流れる前記逆流洗浄用の水を前記排出用流路の排出口へ導く開状態のいずれかに切り替えられる排水用開閉弁と、を備えた、水処理装置。
【請求項３】
前記薬剤供給部は、
前記薬剤が投入され得る薬剤槽と、
前記濾過済みの水を前記濾過済水流路から前記薬剤槽内の前記薬剤まで導く導入流路と、
前記薬剤を含む前記薬剤処理済みの水を前記薬剤槽から前記薬剤処理済水流路へ導く導出流路と、を含む、請求項１または２に記載の水処理装置。
【請求項４】
前記薬剤が殺菌作用を発揮するものである、請求項１〜３のいずれかに記載の水処理装置。
【発明の詳細な説明】
【技術分野】
【０００１】
本発明は、濾過部と薬剤供給部とを備えた水処理装置に関する。
【背景技術】
【０００２】
従来から、被処理水に濾過処理を施す濾材を有する濾過部と被処理水に薬剤を供給する薬剤供給部とを備えた水処理装置の開発が行われている。この水処理装置においては、濾過部の下流に薬剤供給部が配置されている場合がある。この場合、まず、原水が濾過部に流れ込み、原水の濾過処理が実行される。その後、濾過済みの水が薬剤供給部の薬剤、たとえば、塩素薬剤によって、被処理水の殺菌処理および酸化処理が実行される（特許文献１参照）。
【０００３】
一般に、従来の水処理装置には、濾過部において濾材に付着したスカム等の異物を除去するために、濾過部に順方向とは逆向きに水を流すことにより、濾材を洗浄する、いわゆる逆流洗浄用の構造が設けられている。
【先行技術文献】
【特許文献】
【０００４】
【特許文献１】特開平９−８５２５８号公報
【発明の概要】
【発明が解決しようとする課題】
【０００５】
従来の水処理装置によれば、濾過部は薬剤供給部の上流に設けられているため、その通常使用時には、薬剤供給部を通過した薬剤処理済みの水は、濾過部に流れ込まない。また、従来の逆流洗浄用の構造が従来の水処理装置の濾過部に適用された場合には、逆流洗浄用の水は、薬剤供給部から薬剤が供給されることなく、濾過部の下流側から濾過部の上流側へ濾過部を逆方向に通過し、排出口から排出される。この場合、濾過部を逆方向に通過する逆流洗浄水は、薬剤を含んでいない。したがって、逆流洗浄時においても、薬剤の効用を利用して濾過部を洗浄することはできない。
【０００６】
したがって、従来の水処理装置によれば、通常使用時および逆流洗浄時のいずれにおいても、薬剤を含む薬剤処理済みの水が濾過部に供給されないため、たとえば、殺菌作用等の効果を発揮する薬剤を利用して濾過部を洗浄することはできない。
【０００７】
本発明は、このような従来技術の有する課題に鑑みてなされたものである。そして、本発明の目的は、薬剤供給部の薬剤の効用を利用して濾過部を洗浄することができる水処理装置を提供することである。
【課題を解決するための手段】
【０００８】
上記課題を解決するために、本発明の第１の態様に係る水処理装置は、原水を導く原水流路と、前記原水流路を流れる前記原水を受け入れるように設けられ、前記原水に濾過処理を施す濾材を有する濾過部と、前記濾過部から流れ出た前記濾過処理が施された濾過済みの水を導く濾過済水流路と、前記濾過済水流路から流れ出た前記濾過済みの水に薬剤を供給する薬剤供給部と、前記薬剤による処理が施された薬剤処理済みの水を導く薬剤処理済水流路と、前記原水流路と前記濾過済水流路とに接続され、前記原水流路から前記濾過済水流路へ逆流洗浄用の水を導く第１の逆流洗浄水流路と、前記原水流路と前記第１の逆流洗浄水流路との接続部に設けられ、前記原水流路から前記濾過部へ前記原水を導く第１の通常状態、および、前記原水流路から前記第１の逆流洗浄水流路へ前記逆流洗浄用の水を導く第１の逆流洗浄状態のいずれかに切り替えられる第１の切替弁と、前記濾過済水流路と前記第１の逆流洗浄水流路との接続部よりも前記濾過済みの水にとって上流側の前記濾過済水流路と前記薬剤処理済水流路とに接続され、前記薬剤処理済水流路から前記濾過済水流路へ前記薬剤を含む前記逆流洗浄用の水を導く第２の逆流洗浄水流路と、前記第２の逆流洗浄水流路と前記薬剤処理済水流路との接続部に設けられ、前記薬剤処理済みの水を流出口へ導く第２の通常状態、および、前記薬剤処理済水流路を流れる前記薬剤を含む前記逆流洗浄用の水を前記第２の逆流洗浄水流路へ導く第２の逆流洗浄状態のいずれかに切り替えられる第２の切替弁と、前記第１の逆流洗浄水流路と前記濾過済水流路との接続部と前記第２の逆流洗浄水流路と前記濾過済水流路との接続部との間の前記濾過済水流路に設けられ、前記濾過済みの水を通過させる開状態、および、前記逆流洗浄用の水を通過させない閉状態のいずれかに切り替えられる切替用開閉弁と、前記第１の切替弁と前記濾過部との間の前記原水流路に接続された排出用流路に設けられ、前記原水流路を流れる前記原水を前記濾過部へ導く閉状態、および、前記原水流路を流れる前記逆流洗浄用の水を前記排出用流路の排出口へ導く開状態のいずれかに切り替えられる排水用開閉弁と、を備えている。
【０００９】
本発明の第２の態様に係る水処理装置は、原水を導く原水流路と、前記原水流路を流れる前記原水を受け入れるように設けられ、前記原水に濾過処理を施す濾材を有する濾過部と、前記濾過部から流れ出た前記濾過処理が施された濾過済みの水を導く濾過済水流路と、前記濾過済水流路から流れ出た前記濾過済みの水に薬剤を供給する薬剤供給部と、前記薬剤による処理が施された薬剤処理済みの水を導く薬剤処理済水流路と、前記原水流路と前記濾過済水流路とに接続され、前記原水流路から前記濾過済水流路へ逆流洗浄用の水を導く第１の逆流洗浄水流路と、前記原水流路と前記第１の逆流洗浄水流路との接続部に設けられ、前記原水流路から前記濾過部へ前記原水を導く第１の通常状態、および、前記原水流路から前記第１の逆流洗浄水流路へ前記逆流洗浄用の水を導く第１の逆流洗浄状態のいずれかに切り替えられる第１の切替弁と、前記濾過済水流路と前記第１の逆流洗浄水流路との接続部よりも前記濾過済みの水にとって上流側の前記濾過済水流路と前記薬剤処理済水流路とに接続され、前記薬剤処理済水流路から前記濾過済水流路へ前記薬剤を含む前記逆流洗浄用の水を導く第２の逆流洗浄水流路と、前記第２の逆流洗浄水流路と前記薬剤処理済水流路との接続部に設けられ、前記薬剤処理済みの水を流出口へ導く第２の通常状態、および、前記薬剤処理済水流路を流れる前記薬剤を含む前記逆流洗浄用の水を前記第２の逆流洗浄水流路へ導く第２の逆流洗浄状態のいずれかに切り替えられる第２の切替弁と、前記第１の逆流洗浄水流路と前記濾過済水流路との接続部と前記第２の逆流洗浄水流路と前記濾過済水流路との接続部との間の前記濾過済水流路に設けられ、前記濾過済みの水が前記濾過部から前記薬剤処理済水流路に向かって流れることを許容するが、前記逆流洗浄用の水が前記第１の逆流洗浄水流路から前記濾過部に向かって流れることを許容しない一方向弁と、前記第１の切替弁と前記濾過部との間の前記原水流路に接続された排出用流路に設けられ、前記原水流路を流れる前記原水を前記濾過部へ導く閉状態、および、前記原水流路を流れる前記逆流洗浄用の水を前記排出用流路の排出口へ導く開状態のいずれかに切り替えられる排水用開閉弁と、を備えている。
【発明の効果】
【００１０】
本発明の第１の態様または第２の態様の水処理装置によれば、薬剤供給部の薬剤の効用を利用して濾過部を洗浄することができる。
【図面の簡単な説明】
【００１１】
【図１】実施の形態１の水処理装置の通常使用状態を説明するための模式図である。
【図２】実施の形態１の水処理装置の逆流洗浄状態を説明するための模式図である。
【図３】実施の形態１の水処理装置の薬剤供給部の一例を説明するための断面図である。
【図４】実施の形態１の水処理装置の濾過部の一例を説明するための断面図である。
【図５】実施の形態１の変形例の水処理装置を説明するための模式図である。
【図６】実施の形態２の水処理装置を説明するための模式図である。
【図７】実施の形態３の水処理装置を説明するための模式図である。
【発明を実施するための形態】
【００１２】
以下、図面を参照しながら、実施の形態の水処理装置を説明する。以下の複数の実施の形態においては、同一の参照符号が付された部分同士は、図面上における形状に多少の相違があっても、特段の記載がない限り、互いに同一の機能を発揮するものとする。
【００１３】
（実施の形態１）
図１を用いて、実施の形態１の水処理装置１０００を説明する。
【００１４】
図１に示されるように、本実施の形態の水処理装置１０００は、原水流路１０、濾過部２００、濾過済水流路４０、薬剤供給部１００、および薬剤処理済水流路２０を備えている。また、水処理装置１０００は、第１の逆流洗浄水流路３１、第１の切替弁Ｖ１、第２の逆流洗浄水流路３２、第２の切替弁Ｖ２、切替用開閉弁Ｖ４、および排水用開閉弁Ｖ３を備えている。
【００１５】
原水流路１０には、図１に破線の矢印で示されるように井水を汲み上げるポンプＰが接続されている。ただし、井水の代わりに水道水や他の種類の水が用いられてもよい。ポンプＰが駆動すると、原水流路１０は、井水等からなる原水を濾過部２００まで導く。
【００１６】
濾過部２００は、原水流路１０を流れる原水を受け入れるように設けられている。濾過部２００は、その内部に原水に濾過処理を施す濾材ＦＬ（図４参照）を有する。濾過部２００の内部の詳細構造は、後述される。
【００１７】
濾過済水流路４０は、濾過部２００から流れ出た濾過処理が施された濾過済みの水を薬剤供給部１００まで導く。薬剤供給部１００は、分岐部２１と合流部２２との間の主流路としての濾過済水流路４０に並列に接続されているバイパス流路に設けられている。
【００１８】
薬剤供給部１００は、濾過済水流路４０から流れ出た濾過済みの水に薬剤を供給する。薬剤供給部１００は、その内部に濾過済みの水が接触する薬剤ＣＡ（図３参照）を備えている。薬剤供給部１００の詳細構造は、後述される。
【００１９】
本実施の形態の薬剤ＣＡは、たとえば、濾過済みの水に塩素イオンを放出する塩素系の固形薬剤である。固形薬剤は、一定の形状を保持している錠剤または一定の形状を有していない粉末剤等、いかなるものであってもよい。ただし、薬剤ＣＡは、固形薬剤に限定されず、液体または粘性材料であってもよい。
【００２０】
薬剤処理済水流路２０は、薬剤供給部１００から薬剤処理が施された薬剤処理済みの水を流出口６０、たとえば、ユーザが使用する蛇口まで導く。蛇口から流出した水は、生活用水として利用される。ただし、水処理装置１０００は、薬剤処理済水流路２０の下流に薬剤処理済みの水にさらなる何らかの処理を施す水処理部を有していてもよい。
【００２１】
第１の逆流洗浄水流路３１は、原水流路１０と濾過済水流路４０とに接続されている。第１の逆流洗浄水流路３１は、図２に破線の矢印で示されるように、原水流路１０から濾過済水流路４０へ逆流洗浄用の水を導く。
【００２２】
第１の切替弁Ｖ１は、原水流路１０と第１の逆流洗浄水流路３１との接続部に設けられている。第１の切替弁Ｖ１は、いわゆる三方弁である。第１の切替弁Ｖ１は、第１の通常状態および第１の逆流洗浄状態のいずれかに切り替えられる。第１の通常状態の第１の切替弁Ｖ１は、図１に破線の矢印で示されるように、原水流路１０から濾過部２００へ原水を導く。第１の逆流洗浄状態の第１の切替弁Ｖ１は、図２に破線の矢印で示されるように、原水流路１０から第１の逆流洗浄水流路３１へ逆流洗浄用の水を導く。
【００２３】
第２の逆流洗浄水流路３２は、濾過済水流路４０と第１の逆流洗浄水流路３１との接続部よりも濾過済みの水にとって上流側（図１の破線の矢印参照）の濾過済水流路４０と薬剤処理済水流路２０とに接続されている。第２の逆流洗浄水流路３２は、図２に破線の矢印で示されるように、薬剤処理済水流路２０から濾過済水流路４０へ薬剤ＣＡを含む逆流洗浄用の水を導く。
【００２４】
第２の切替弁Ｖ２は、第２の逆流洗浄水流路３２と薬剤処理済水流路２０との接続部に設けられている。第２の切替弁Ｖ２は、いわゆる三方弁である。第２の切替弁Ｖ２は、第２の通常状態および第２の逆流洗浄状態のいずれかに切り替えられる。第２の通常状態の第２の切替弁Ｖ２は、図１に破線の矢印で示されるように、薬剤処理済みの水を流出口６０、たとえば、ユーザが使用する蛇口へ導く。第２の逆流洗浄状態の第２の切替弁Ｖ２は、図２に破線の矢印で示されるように、薬剤処理済水流路２０を流れる薬剤ＣＡを含む逆流洗浄用の水を第２の逆流洗浄水流路３２へ導く。
【００２５】
切替用開閉弁Ｖ４は、第１の逆流洗浄水流路３１と濾過済水流路４０との接続部と第２の逆流洗浄水流路３２と濾過済水流路４０との接続部との間の濾過済水流路４０に設けられている。切替用開閉弁Ｖ４は、開状態および閉状態のいずれかに切り替えられる。切替用開閉弁Ｖ４は、開状態においては、図１に破線の矢印で示されるように、濾過済みの水を通過させる。切替用開閉弁Ｖ４は、閉状態においては、図２に破線の矢印で示されるように、逆流洗浄用の水を通過させない。
【００２６】
排水用開閉弁Ｖ３は、第１の切替弁Ｖ１と濾過部２００との間の原水流路１０に接続された排出用流路４５に設けられている。排水用開閉弁Ｖ３は、閉状態および開状態のいずれかに切り替えられる。閉状態の排水用開閉弁Ｖ３は、図１に破線の矢印で示されるように、原水流路１０を流れる原水を濾過部２００へ導く。開状態の排水用開閉弁Ｖ３は、図２に破線の矢印で示されるように、原水流路１０を流れる逆流洗浄用の水が原水流路１０に接続された排出用流路４５の排出口５０から排出されるように逆流洗浄用の水を導く。
【００２７】
本実施の形態においても、ユーザは、通常使用時には、手動で、第１の切替弁Ｖ１を第１の通常状態に切り替え、第２の切替弁Ｖ２を第２の通常状態に切り替え、かつ、排水用開閉弁Ｖ３を閉状態に切り替える。このとき、ユーザは、さらに切替用開閉弁Ｖ４を開状態に切り替える。その結果、原水は、濾過部２００を通過し、それにより、濾過済みの水となる。その後、濾過済みの水は、薬剤供給部１００を通過し、それにより、薬剤処理済みの水として流出口６０へ至る。
【００２８】
一方、ユーザは、逆流洗浄時には、手動で、第１の切替弁Ｖ１を第１の逆流洗浄状態に切り替え、第２の切替弁Ｖ２を第２の逆流洗浄状態に切り替え、かつ、排水用開閉弁Ｖ３を開状態に切り替える。このとき、ユーザは、切替用開閉弁Ｖ４を閉状態に切り替える。
【００２９】
それにより、本実施の形態の水処理装置１０００によれば、図２に破線の矢印で示されるように、逆流洗浄用の水は、薬剤供給部１００から薬剤ＣＡ（図３参照）を供給された後、濾過部２００を通過する。そのため、濾過部２００の逆流洗浄のときに、薬剤の効用を利用して濾過部２００を洗浄することができる。
【００３０】
なお、本実施の形態においては、第１の切替弁Ｖ１、第２の切替弁Ｖ２、および排水用開閉弁Ｖ３の切替動作または開閉動作は、ユーザが操作する操作部から指令信号を受けた制御部および機構によって自動的に実行されてもよい。この場合、本実施の形態においては、切替用開閉弁Ｖ４の開閉動作も、ユーザが操作する操作部からの指令信号を受けた制御部および機構によって自動的に実行されてもよい。
【００３１】
以上から分かるように、本実施の形態の水処理装置１０００によれば、逆流洗浄用の水は、図２に破線の矢印で示されるように、薬剤供給部１００から薬剤を供給された後、濾過部２００を通過する。そのため、濾過部２００の逆流洗浄のときに、薬剤ＣＡ（図３参照）の効用を利用して濾過部２００を洗浄することができる。
【００３２】
本実施の形態においては、濾過済水流路４０は、分岐部２１と合流部２２との間で濾過済みの水を導く主流路を含んでいる。水処理装置１０００は、分岐部２１と合流部２２との間の主流路に並列に設けられたバイパス流路を備えている。薬剤供給部１００は、分岐部２１と合流部２２との間のバイパス流路に設けられている。バイパス流路は、分岐部２１で主流路から分岐し、合流部２２で主流路に合流する。つまり、バイパス流路は、濾過済水流路４０を構成する薬剤供給部１００の上流側部分と、薬剤処理済水流路２０を構成する薬剤供給部１００の下流側部分とを含んでいる。
【００３３】
この構成によれば、濾過処理済みの水の流量が変化しても、分岐部２１と合流部２２との間において、主流路を流れる濾過済みの水の流量とバイパス流路を流れる濾過済みの流量との比率が実質的に一定である。そのため、薬剤処理済みの水に含まれる薬剤の濃度を実質的に一定に維持することができる。したがって、通常使用時および逆流洗浄時のいずれにおいても、実質的に一定の濃度の薬剤を含む水を利用することができる。ただし、分岐部２１と合流部２２との間の濾過済水流路４０としての主流路は、薬剤供給部１００に流れ込む濾過済みの水または逆流洗浄用の水の流量が実質的に一定に調整されているのであれば、不要である場合もある。
【００３４】
次に、図３を用いて、実施の形態の薬剤供給部１００の内部構造を説明する。図３においては、薬剤供給部１００内の濾過済みの水、逆流洗浄用の水、および薬剤処理済みの水は、一体的に水Ｗとして描かれている。
【００３５】
図３から分かるように、実施の形態の薬剤供給部１００は、容器部１１２内に、薬剤槽１２１、導入流路１１１Ａ、導出流路１１１Ｃ、および薬剤収容部１４０を備えている。
【００３６】
薬剤槽１２１は、コップのような形状をなし、その底面部に連通孔１２１Ａを有している。薬剤槽１２１の内側には、厚さｔを有する一群の砂利からなる分散材Ｆが設けられている。
【００３７】
分散材Ｆは、分散した隙間を有している砂利である。分散材Ｆは、濾過済みの水または逆流洗浄用の水が薬剤ＣＡに接触すること、および、薬剤ＣＡが供給された薬剤処理済みの水が連通孔１２１Ａまで流れることを許容する程度の隙間を有している。
【００３８】
分散材Ｆと薬剤槽１２１の底面部との間には、網目部材１３０が設けられている。網目部材１３０は、分散材Ｆを構成する各粒の通過を抑制するが、濾過済みの水、逆流洗浄用の水、および薬剤処理済みの水を通過させる程度の大きさを有している。
【００３９】
薬剤収容部１４０は、円筒状の形状をなし、その内部に薬剤ＣＡを有している。薬剤ＣＡは、固形、液体、および粘性材料のいずれであってもよい。薬剤収容部１４０の底面は、透過性膜１４２によって構成されている。ただし、薬剤ＣＡが固形または粉末状の薬剤の場合には、分散材Ｆの上に直接、薬剤ＣＡが置かれてもよい。
【００４０】
透過性膜１４２は、分散材Ｆによって分散された濾過済みの水または逆流洗浄用の水を透過させる。透過性膜１４２の孔径は、濾過済みの水または逆流洗浄用の水が透過性膜１４２を透過して薬剤ＣＡに接触する前においては透過性膜１４２によって支持された薬剤ＣＡを透過させない程度の大きさである。また、透過性膜１４２の孔径は、濾過済みの水または逆流洗浄用の水が透過性膜１４２を透過して薬剤ＣＡに接触した後においては、薬剤処理済みの水に含まれる薬剤ＣＡを構成する物質を透過させる程度の大きさである。
【００４１】
導入流路１１１Ａは、濾過済水流路４０に接続されており、濾過済みの水または逆流洗浄用の水を受け入れる。導入流路１１１Ａは、薬剤槽１２１の底面部の下方からその底面部に接続されており、薬剤処理済みの水を薬剤槽１２１の内側まで導く。
【００４２】
薬剤槽１２１内において、濾過済みの水または逆流洗浄用の水は、分散材Ｆを通過した後、透過性膜１４２を透過し、薬剤収容部１４０内の薬剤ＣＡに接触することにより、薬剤処理済みの水になる。その後、薬剤ＣＡを含んだ薬剤処理済みの水は、透過性膜１４２を通過して分散材Ｆの分散した隙間に存在する濾過済みの水または逆流洗浄用の水に混入される。
【００４３】
薬剤槽１２１内の薬剤処理済みの水は、連通孔１２１Ａを通過し、連通孔１２１Ａの下側の導出流路１１１Ｃへ落下する。導出流路１１１Ｃは、薬剤処理済水流路２０に接続されており、薬剤槽１２１の内側から連通孔１２１Ａを経由して流れ落ちた薬剤処理済みの水を薬剤処理済水流路２０へ導く。
【００４４】
ポンプＰが停止しているときには、濾過済みの水または逆流洗浄用の水が薬剤供給部１００を通過しない。そのため、薬剤槽１２１内の水Ｗの液面は、薬剤ＣＡに接しない程度まで低下している。その結果、ポンプＰが停止しているときには、薬剤ＣＡは消費されない。
【００４５】
次に、図４を用いて、実施の形態の濾過部２００の内部構造を説明する。
【００４６】
図４に示されるように、濾過部２００は、その内部において砂または砂利からなる濾材ＦＬがタンクの底からある程度の高さの位置まで敷き詰められている。水処理装置１０００の通常使用状態のときには、図４に矢印で示されるように、原水は、原水流路１０から濾過部２００へ流れ込み、濾過部２００内において、濾材ＦＬを通過するように、上方から下方へ落下する。
【００４７】
このとき、濾過部２００内の原水に含まれているスカムＳは、濾材ＦＬに付着し、それにより、濾過部２００内の原水から除去される。その後、スカムＳが除去された濾過済みの水が濾過済水流路４０に流れ込む。
【００４８】
逆流洗浄のときには、濾過済水流路４０から濾過部２００へ流れ込んできた薬剤ＣＡを含む逆流洗浄用の水は、濾過部２００内において、図４の矢印で示される方向とは逆向きに流れる。そのため、濾材ＦＬに付着していたスカムＳを含む汚れた逆流洗浄用の水が原水流路１０へ流れる。このとき、薬剤ＣＡが、たとえば、殺菌機能を有する塩素薬剤であれば、濾材ＦＬおよび濾過部２００の内面に殺菌処理が施される。
【００４９】
なお、本実施の形態においては、濾過部２００は、図４に示されるような構造を有しているが、逆流洗浄できるものであれば、いかなる構造を有していてもよい。
【００５０】
本実施の形態の薬剤供給部１００によれば、薬剤供給部１００の内部に流れ込んだ濾過済みの水が薬剤ＣＡ（図３参照）に接触することにより、薬剤ＣＡが濾過済みの水に供給される。そのため、上記した構造以外のさらなる機器、たとえば、薬液を送り出す定量ポンプを必要とすることなく、逆流洗浄用の水に適切な量の薬剤を含ませることできる。
【００５１】
本実施の形態においては、薬剤ＣＡが殺菌作用を発揮する塩素薬剤である。そのため、逆流洗浄のときに、濾過部２００の内部に殺菌処理を施すことができる。その結果、濾過部２００の衛生環境を良好に維持することができる。ただし、薬剤ＣＡは、殺菌作用を発揮する薬剤に限定されず、濾過部２００の洗浄になんらかの有益な効果を発揮する薬剤であれば、いかなるものが用いられていてもよい。
【００５２】
図５を用いて、本実施の形態の水処理装置１０００の変形例を説明する。この変形例の水処理装置１０００においては、濾過済水流路４０の分岐部２１と合流部２２との間の主流路に濾過済みの水の圧力を調整する圧力調整弁ＰＶが設けられている。また、分岐部２１と合流部２２との間のバイパス流路の薬剤供給部１００の上流側の濾過済水流路４０に流量調整弁ＦＶが設けられている。
【００５３】
このような変形例の水処理装置１０００であっても、上記した本実施の形態の水処理装置１０００によって得られる効果と同様の効果を得ることができる。圧力調整弁ＰＶおよび流量調整弁ＦＶの少なくともいずれか一方を調整することにより、濾過済みの水の流量および圧力、ならびに、逆流洗浄水用の水の流量および圧力を調整することができる。
【００５４】
なお、薬剤供給部１００によって薬剤ＣＡが供給された逆流洗浄用の水を用いて、濾過部２００を洗浄することができるのであれば、本実施の形態の各流路の少なくともいずれか１つにさらなる弁等が設けられていてもよい。
【００５５】
（実施の形態２）
本実施の形態の水処理装置１０００は、実施の形態１の水処理装置１０００とほぼ同様である。以下、本実施の形態の水処理装置１０００と実施の形態１の水処理装置１０００とが異なっている点を主に説明する。
【００５６】
図６を用いて、実施の形態２の水処理装置１０００を説明する。
【００５７】
図６に示されるように、本実施の形態の水処理装置１０００は、実施の形態１の水処理装置１０００の切替用開閉弁Ｖ４の代わりに、一方向弁ＣＶを備えている。一方向弁ＣＶは、第１の逆流洗浄水流路３１と濾過済水流路４０との接続部と第２の逆流洗浄水流路３２と濾過済水流路４０との接続部との間の濾過済水流路４０に設けられている。一方向弁ＣＶは、いわゆる逆止弁である。
【００５８】
一方向弁ＣＶは、濾過済みの水が濾過部２００から薬剤処理済水流路２０に向かって流れることを許容する。しかしながら、一方向弁ＣＶは、逆流洗浄用の水が第１の逆流洗浄水流路３１から濾過部２００に向かって流れることを許容しない。
【００５９】
本実施の形態においては、水処理装置１０００の使用時には、第１の切替弁Ｖ１、第２の切替弁Ｖ２、および排水用開閉弁Ｖ３は、ユーザによって手動で操作される。ユーザは、通常使用時には、手動で、第１の切替弁Ｖ１を第１の通常状態に切り替え、第２の切替弁Ｖ２を第２の通常状態に切り替え、かつ、排水用開閉弁Ｖ３を閉状態に切り替える。
【００６０】
それにより、通常使用時の水は、原水流路１０、第１の切替弁Ｖ１、原水流路１０、濾過部２００、濾過済水流路４０、一方向弁ＣＶ、濾過済水流路４０、薬剤供給部１００、薬剤処理済水流路２０、第２の切替弁Ｖ２、および流出口６０をこの順番で流れる。それにより、通常使用時の水は、濾過され、かつ、薬剤処理された後、使用者が使用する蛇口に到達する。
【００６１】
一方、ユーザは、逆流洗浄時には、手動で、第１の切替弁Ｖ１を第１の逆流洗浄状態に切り替え、第２の切替弁Ｖ２を第２の逆流洗浄状態に切り替え、かつ、排水用開閉弁Ｖ３を開状態に切り替える。それにより、逆流洗浄用の水は、原水流路１０、第１の切替弁Ｖ１、第１の逆流洗浄水流路３１、濾過済水流路４０、薬剤供給部１００、および薬剤処理済水流路２０をこの順番で流れる。
【００６２】
その後、逆流洗浄用の水は、第２の切替弁Ｖ２、第２の逆流洗浄水流路３２、濾過済水流路４０、濾過部２００、原水流路１０、排出用流路４５、排水用開閉弁Ｖ３、および排出口５０をこの順番で流れる。その結果、逆流洗浄用の水は、薬剤供給部１００から薬剤ＣＡを供給された後、濾過部２００を洗浄し、その後、スカムとともに排出口５０から排出される。
【００６３】
なお、第１の切替弁Ｖ１、第２の切替弁Ｖ２、および排水用開閉弁Ｖ３の切替動作または開閉動作は、ユーザが操作する操作部から指令信号を受けた制御部および機構によって自動的に実行されてもよい。この場合、ユーザは、操作部を操作するだけで、たとえば、タッチパネルのアイコンをタッチするだけで、各弁を手動操作することなく、逆流洗浄を実行することができる。つまり、第１の切替弁Ｖ１、第２の切替弁Ｖ２、および排水用開閉弁Ｖ３が、制御部によって、通常状態および逆流洗浄状態のいずれかにまとめて切り替えられる。そのため、逆流洗浄をユーザの操作負担を軽減することができる。
【００６４】
本実施の形態の水処理装置１０００においては、逆流洗浄用の水は、第２の逆流洗浄水流路３２から一方向弁ＣＶを経由して薬剤供給部１００へ流れる場合もある。この場合も、薬剤供給部１００の薬剤ＣＡ（図３参照）に逆流洗浄時に濾過部２００を通過させることによって、薬剤ＣＡの効用を利用して濾過部２００内の濾材ＦＬ（図４参照）を洗浄することができる。
【００６５】
ただし、この場合、薬剤ＣＡを含んだ逆流洗浄用の水の一部が一方向弁ＣＶを経由して薬剤供給部１００へ戻るため、逆流洗浄用の水に含まれる薬剤ＣＡの濃度が通常使用時の濃度よりも徐々に高くなっていくことが考えられる。したがって、一方向弁ＣＶの構造は、一方向弁ＣＶの上流と一方向弁ＣＶの下流との水圧の差を利用して、逆流洗浄用の水が第２の逆流洗浄水流路３２から一方向弁ＣＶを経由して薬剤供給部１００へ流れないような構造になっていることが好ましい。
【００６６】
なお、本実施の形態の一方向弁ＣＶは、図５に示される実施の形態１の変形例の水処理装置１０００の切替用開閉弁Ｖ４の代わりに用いられてもよい。
【００６７】
（実施の形態３）
本実施の形態の水処理装置１０００は、実施の形態１または２の水処理装置１０００とほぼ同様である。以下、本実施の形態の水処理装置１０００と実施の形態１または２の水処理装置１０００とが異なっている点を主に説明する。
【００６８】
図７を用いて、実施の形態３の水処理装置１０００を説明する。
【００６９】
図７に示されるように、薬剤供給部１００は、実施の形態１の薬剤供給部１００および分岐部２１と合流部２２との間のバイパス流路の代わりに、薬剤タンク３００、液体薬剤流路３０１、および定量ポンプＰｃを含んでいてもよい。薬剤タンク３００は、液体薬剤を貯留している。液体薬剤流路３０１は、薬剤タンク３００に貯留されている液体状の薬剤を濾過済みの水に混入させるように、濾過済水流路４０に接続されている。定量ポンプＰｃは、液体状の薬剤を単位時間あたりに一定量だけ送出するポンプであって、液体薬剤流路３０１に設けられ、濾過済みの水に液体状の薬剤を混入させるように駆動される。本実施の形態の水処理装置１０００によれば、制御部が定量ポンプＰｃを適切に制御すれば、逆流洗浄用の水に適切な量の液体状の薬剤を含ませることができる。
【００７０】
本実施の形態においても、ユーザは、通常使用時には、手動で、第１の切替弁Ｖ１を第１の通常状態に切り替え、第２の切替弁Ｖ２を第２の通常状態に切り替え、かつ、排水用開閉弁Ｖ３を閉状態に切り替える。このとき、ユーザは、定量ポンプＰｃを駆動状態に切り替え、薬剤タンク３００から液体薬剤流路３０１を経由して濾過済水流路４０を流れる濾過済みの水へ液体状の薬剤を混入させる。
【００７１】
一方、ユーザは、逆流洗浄時には、手動で、第１の切替弁Ｖ１を第１の逆流洗浄状態に切り替え、第２の切替弁Ｖ２を第２の逆流洗浄状態に切り替え、かつ、排水用開閉弁Ｖ３を開状態に切り替える。このとき、ユーザは、切替用開閉弁Ｖ４を閉状態に切り替える。また、ユーザは、定量ポンプＰｃを駆動状態に切り替え、薬剤タンク３００から液体薬剤流路３０１を経由して濾過済水流路４０を流れる濾過済みの水に液体薬剤を混入させる。
【００７２】
本実施の形態においても、第１の切替弁Ｖ１、第２の切替弁Ｖ２、および排水用開閉弁Ｖ３の切替動作または開閉動作は、ユーザが操作する操作部から指令信号を受けた制御部および機構によって自動的に実行されてもよい。この場合、本実施の形態においては、切替用開閉弁Ｖ４の開閉動作も、ユーザが操作する操作部からの指令信号を受けた制御部および機構によって自動的に実行されてもよい。また、定量ポンプＰｃの駆動動作も、ユーザが操作する操作部からの指令信号を受けた制御部および機構によって自動的に実行されてもよい。
【００７３】
本実施の形態の水処理装置１０００の薬剤タンク３００、液体薬剤流路３０１、および定量ポンプＰｃは、図５に示される実施の形態１の変形例の水処理装置１０００の薬剤供給部１００およびバイパス流路の代わりに用いられてもよい。また、本実施の形態の水処理装置１０００の薬剤タンク３００、液体薬剤流路３０１、および定量ポンプＰｃは、図６に示される実施の形態２の水処理装置１０００の薬剤供給部１００およびバイパス流路の代わりに用いられてもよい。
【００７４】
（その他の実施の形態）
水処理装置１０００は、上記した各実施の形態の各構成を加えて、原水流路１０、濾過済水流路４０、および薬剤処理済水流路２０の少なくともいずれかに他の水処理部および弁の少なくともいずれか一方をさらに備えていてもよい。また、１つの切替弁Ｖ１の代わりに、１つの切替弁Ｖ１の機能と同様の機能を果たす２つの開閉弁が用いられてもよい。また、１つの切替弁Ｖ２の代わりに、１つの切替弁Ｖ２と同様の機能を果たす２つの開閉弁が用いられてもよい。具体的には、切替弁Ｖ１の代わりに、切替弁Ｖ１の設置位置の下流側の原水流路１０および第１の逆流洗浄水流路３１のそれぞれに流路切替用の開閉弁が設けられていてもよい。また、切替弁Ｖ２の代わりに、切替弁Ｖ２の設置位置の下流側の薬剤処理済水流路２０および第２の逆流洗浄水流路３２のそれぞれに流路切替用の開閉弁が設けられていてもよい。その他の実施の形態においては、前述の２つの流路切替用の開閉弁が１つの切替弁(切替弁Ｖ１またはＶ２)として機能するものとする。弁操作の簡便さを考慮すると、切替弁Ｖ１および切替弁Ｖ２はいずれも三方弁であることが望ましい。しかしながら、通常使用時および逆流洗浄時において、図１および図２に破線の矢印で示した水の流れが形成されるのであれば、いかなる手段が用いられてもよい。つまり、通常使用時に薬剤供給部１００の薬剤ＣＡ（図３参照）が濾過部２００を通過した濾過済みの水に供給され、逆流洗浄時に薬剤供給部１００から薬剤ＣＡが供給された逆流洗浄用の水が濾過部２００を逆流すればよい。
【００７５】
以下、実施の形態の水処理装置１０００の特徴的構成およびそれにより得られる効果が述べられる。
【００７６】
（１）  実施の形態の水処理装置１０００は、原水流路１０、濾過部２００、濾過済水流路４０、薬剤供給部１００、薬剤処理済水流路２０、および第１の逆流洗浄水流路３１を備えている。また、水処理装置１０００は、第１の切替弁Ｖ１、第２の逆流洗浄水流路３２、第２の切替弁Ｖ２、切替用開閉弁Ｖ４、および排水用開閉弁Ｖ３を備えている。
【００７７】
原水流路１０は、原水を導く。濾過部２００は、原水流路１０を流れる原水を受け入れるように設けられ、原水に濾過処理を施す濾材ＦＬを有する。濾過済水流路４０は、濾過部２００から流れ出た濾過処理が施された濾過済みの水を導く。薬剤供給部１００は、濾過済水流路４０から流れ出た濾過済みの水に薬剤ＣＡを供給する。薬剤処理済水流路２０は、薬剤ＣＡによる処理が施された薬剤処理済みの水を導く。第１の逆流洗浄水流路３１は、原水流路１０と濾過済水流路４０とに接続され、原水流路１０から濾過済水流路４０へ逆流洗浄用の水を導く。
【００７８】
第１の切替弁Ｖ１は、原水流路１０と第１の逆流洗浄水流路３１との接続部に設けられている。第１の切替弁Ｖ１は、第１の通常状態および第１の逆流洗浄状態のいずれかに切り替えられる。第１の通常状態の第１の切替弁Ｖ１は、原水流路１０から濾過部２００へ原水を導く。第１の逆流洗浄状態の第１の切替弁Ｖ１は、原水流路１０から第１の逆流洗浄水流路３１へ逆流洗浄用の水を導く。
【００７９】
第２の逆流洗浄水流路３２は、濾過済水流路４０と第１の逆流洗浄水流路３１との接続部よりも濾過済みの水にとって上流側の濾過済水流路４０と薬剤処理済水流路２０とに接続されている。第２の逆流洗浄水流路３２は、薬剤処理済水流路２０から濾過済水流路４０へ薬剤ＣＡを含む逆流洗浄用の水を導く。
【００８０】
第２の切替弁Ｖ２は、第２の逆流洗浄水流路３２と薬剤処理済水流路２０との接続部に設けられている。第２の切替弁Ｖ２は、第２の通常状態および第２の逆流洗浄状態のいずれかに切り替えられる。第２の通常状態の第２の切替弁Ｖ２は、薬剤処理済みの水を流出口６０へ導く。第２の逆流洗浄状態の第２の切替弁Ｖ２は、薬剤処理済水流路２０を流れる薬剤ＣＡを含む逆流洗浄用の水を第２の逆流洗浄水流路３２へ導く。
【００８１】
切替用開閉弁Ｖ４は、第１の逆流洗浄水流路３１と濾過済水流路４０との接続部と第２の逆流洗浄水流路３２と濾過済水流路４０との接続部との間の濾過済水流路４０に設けられている。切替用開閉弁Ｖ４は、開状態および閉状態のいずれかに切り替えられる。切替用開閉弁Ｖ４は、開状態においては、濾過済みの水を通過させる。切替用開閉弁Ｖ４は、閉状態においては、逆流洗浄用の水を通過させない。
【００８２】
排水用開閉弁Ｖ３は、第１の切替弁Ｖ１と濾過部２００との間の原水流路１０に接続された排出用流路４５に設けられている。排水用開閉弁Ｖ３は、閉状態および開状態のいずれかに切り替えられる。閉状態の排水用開閉弁Ｖ３は、原水流路１０を流れる原水を濾過部２００へ導く。開状態の排水用開閉弁Ｖ３は、原水流路１０を流れる逆流洗浄用の水を排出口５０へ導く。
【００８３】
上記の構成によれば、逆流洗浄用の水は、薬剤供給部１００から薬剤ＣＡを供給された後、濾過部２００を通過する。そのため、濾過部２００の逆流洗浄のときに、薬剤供給部の薬剤ＣＡの効用を利用して濾過部２００を洗浄することができる。
【００８４】
（２）  別の実施の形態の水処理装置１０００は、切替用開閉弁Ｖ４の代わりに、一方向弁ＣＶを備えている。一方向弁ＣＶは、第１の逆流洗浄水流路３１と濾過済水流路４０との接続部と第２の逆流洗浄水流路３２と濾過済水流路４０との接続部との間の濾過済水流路４０に設けられている。一方向弁ＣＶは、濾過済みの水が濾過部２００から薬剤処理済水流路２０に向かって流れることを許容する。一方向弁ＣＶは、逆流洗浄用の水が第１の逆流洗浄水流路３１から濾過部２００に向かって流れることを許容しない。
【００８５】
これによっても、逆流洗浄用の水は、薬剤供給部１００から薬剤ＣＡを供給された後、濾過部２００を通過する。そのため、濾過部２００の逆流洗浄のときに、薬剤ＣＡの効用を利用して濾過部２００を洗浄することができる。
【００８６】
（３）  薬剤供給部１００は、薬剤ＣＡが投入され得る薬剤槽１２１を有している。薬剤供給部１００は、濾過済みの水を濾過済水流路４０から薬剤槽１２１内の薬剤ＣＡまで導く導入流路１１１Ａと、薬剤ＣＡを含む薬剤処理済みの水を薬剤槽１２１から薬剤処理済水流路２０へ導く導出流路１１１Ｃとを含んでいる。これによれば、なんら機器を制御することなく、逆流洗浄用の水に適切な量の薬剤ＣＡを含ませることができる。
【００８７】
（４）  薬剤ＣＡが殺菌作用を発揮するものであることが好ましい。これによれば、濾材ＦＬを逆流洗浄するときに、濾材ＦＬに殺菌処理を施すことができるため、濾過部２００の衛生環境を良好に維持することができる。
【符号の説明】
【００８８】
１０  原水流路
２０  薬剤処理済水流路
３１  第１の逆流洗浄水流路
３２  第２の逆流洗浄水流路
４０  濾過済水流路
４５  排出用流路
５０  排出口
６０  流出口
１００  薬剤供給部
１１１Ａ  導入流路
１１１Ｃ  導出流路
１２１  薬剤槽
２００  濾過部
１０００  水処理装置
ＣＡ  薬剤
ＣＶ  一方向弁
ＦＬ  濾材
Ｖ１  第１の切替弁
Ｖ２  第２の切替弁
Ｖ３  排水用開閉弁
Ｖ４  切替用開閉弁
【図１】
2019141766.tif 000003
【図２】
2019141766.tif 000004
【図３】
2019141766.tif 000005
【図４】
2019141766.tif 000006
【図５】
2019141766.tif 000007
【図６】
2019141766.tif 000008
【図７】
2019141766.tif 000009